(57)【要約】【課題】ジャム障害や切断不良などを生じることなく、常に円滑に記録媒体を排出することが可能な印刷装置を提供する。【解決手段】インクジェットプリンター１は、シート状のロール紙を搬送して排出するフロント送りローラー３７と、フロント送りローラー３７の下流側に排出されるロール紙を案内する用紙案内部材４１とを備え、用紙案内部材４１は、フロント送りローラー３７の下流側に搬送方向の一定の長さを有する水平案内部４２と、水平案内部４２から下がった段差形状を有する段差部４３とを有するとともに、段差部４３がプリンターケース２の外部に突出している。【選択図】図５
2011156677.tif 000002
【特許請求の範囲】
【請求項１】
シート状の印刷媒体を搬送して排出する搬送ローラーと、
前記搬送ローラーの下流側に排出される前記印刷媒体を案内する媒体案内部材とを備え、
前記媒体案内部材は、前記搬送ローラーの下流側に搬送方向の一定の長さを有する水平案内部と、前記水平案内部から下がった段差形状を有する段差部とを有するとともに、前記段差部が装置本体の外部に突出している印刷装置。
【請求項２】
請求項１に記載の印刷装置であって、
前記段差部の上面は、前記水平案内部から離れるにつれて下がるように傾斜している印刷装置。
【請求項３】
請求項１または２に記載の印刷装置であって、
前記段差部の上方が開放されている印刷装置。
【請求項４】
請求項１から３の何れか一項に記載の印刷装置であって、
前記搬送ローラーと前記水平案内部との間で前記印刷媒体を切断するカッターを備えている印刷装置。
【請求項５】
請求項４に記載の印刷装置であって、
ロール紙を収容するロール紙収容部を備え、
前記印刷媒体はロール紙がシート状に繰り出された用紙である印刷装置。
【請求項６】
請求項５に記載の印刷装置であって、
前記ロール紙収容部を開閉する開閉カバーを備え、
前記媒体案内部材は、前記開閉カバーを動作させる摘みの一部である印刷装置。
【発明の詳細な説明】
【技術分野】
【０００１】
本発明は、シート状の印刷媒体に印刷処理を施す印刷装置に関する。
【背景技術】
【０００２】
例えば、ＰＯＳ（Ｐｏｉｎｔ−Ｏｆ−Ｓａｌｅ）システムなどでは、ロール状の記録紙に印刷を施すレシートプリンター等のプリンターが用いられている。
このようなプリンターとしては、ロール紙収納部に収納されているロール紙から引き出されて複数のローラーで搬送される記録紙に対してインクジェットヘッドによって表面に印刷を行うものが知られている（例えば、特許文献１参照）。このプリンターでは、印刷後の記録紙が記録紙排出口から排出された状態で搬送が停止し、記録紙切断装置によって記録紙が切断され、所定長さのレシートとして印刷済みの記録紙片が発行される。
【先行技術文献】
【特許文献】
【０００３】
【特許文献１】特開２００７−８３４７８号公報
【発明の概要】
【発明が解決しようとする課題】
【０００４】
ところで、排出中の記録紙を取ろうとしてユーザーが記録紙排出口にて排出中の記録紙に触れたり、または記録紙を指で記録紙排出口に押し付けてしまうと、排出中の記録紙に弛みが生じてしまうことがある。その場合、記録紙排出口につながる搬送経路内にて紙ジャムが生じたり、記録紙切断装置における記録紙の切断不良が生じたりするおそれがあった。
【０００５】
本発明の目的は、ジャム障害や切断不良などを生じることなく、常に円滑に印刷媒体を排出することが可能な印刷装置を提供することにある。
【課題を解決するための手段】
【０００６】
上記課題を解決することのできる本発明に係る印刷装置は、シート状の印刷媒体を搬送して排出する搬送ローラーと、
前記搬送ローラーの下流側に排出される前記印刷媒体を案内する媒体案内部材とを備え、
前記媒体案内部材は、前記搬送ローラーの下流側に搬送方向の一定の長さを有する水平案内部と、前記水平案内部から下がった段差形状を有する段差部とを有するとともに、前記段差部が装置本体の外部に突出している。
【０００７】
この構成の印刷装置によれば、排出される印刷媒体を案内する媒体案内部材が装置本体の外部に突出しているが、その突出した部分は水平案内部から下がった段差部であるので、排出される印刷媒体が段差部上またはその下流側で指などに当たったり、段差部上で指などにより押さえられたりして、印刷媒体に負荷が加わっても、水平案内部から段差部が下がった分だけ段差部上で印刷媒体が曲がって逃げやすくなっている。そのため、排出された印刷媒体への負荷によって水平案内部より上流側で印刷媒体が浮き上がることがなく、印刷装置内での印刷媒体の詰まりを防止することができる。
【０００８】
本発明の印刷装置において、前記段差部の上面は、前記水平案内部から離れるにつれて下がるように傾斜していることが好ましい。
この構成の印刷装置によれば、段差部の上面が下がるように傾斜しているので、段差部上で印刷媒体を押えても段差部の上方に印刷媒体が曲がりやすく、より効果的に負荷を逃がすことができる。
【０００９】
本発明の印刷装置において、前記段差部の上方が開放されていることが好ましい。
この構成の印刷装置によれば、段差部の上方が開放されているので、印刷媒体を曲げて逃がす空間が大きく確保され、段差部上で印刷媒体が詰まることがない。
【００１０】
本発明の印刷装置において、前記搬送ローラーと前記水平案内部との間で前記印刷媒体を切断するカッターを備えていることが好ましい。
この構成の印刷装置によれば、水平案内部より上流側では印刷媒体が浮いたり曲がったりしにくい構造とされているので、安定した切断を行うことができる。
【００１１】
本発明の印刷装置において、ロール紙を収容するロール紙収容部を備え、
前記印刷媒体はロール紙がシート状に繰り出された用紙であることが好ましい。
この構成の印刷装置によれば、ロール紙はシート状に繰り出されても媒体案内部材に対して上側に凸の向きで若干湾曲しているので、段差部の上方に曲げて逃がしやすい。また、ロール紙は長尺であるため排出側での負荷が搬送経路上流側の詰まりを誘発しやすいが、水平案内部より上流側では印刷媒体が浮いたり曲がったりしにくい構造とされているので、印刷装置内での詰まりを効果的に防止することができる。
【００１２】
本発明の印刷装置において、前記ロール紙収容部を開閉する開閉カバーを備え、
前記媒体案内部材は、前記開閉カバーを動作させる摘みの一部であることが好ましい。
この構成の印刷装置によれば、ロール紙収容部を開閉する際に作業者の指が媒体案内部材に触れるので、段差部上で印刷媒体が指により押さえられやすい。しかし、印刷媒体の排出動作中に開閉カバーを動作させようとして印刷媒体に接触した場合でも、段差部上で印刷媒体を曲げて逃がすことができ、印刷装置内での詰まりを防止することができる。
【図面の簡単な説明】
【００１３】
【図１】本発明に係るインクジェットプリンターの外観斜視図である。
【図２】インクジェットプリンターからプリンターケースを取り外した状態の側面図である。
【図３】ロール紙カバーを開いた状態のインクジェットプリンターの外観斜視図である。
【図４】プリンターケースを取り外したインクジェットプリンターにおけるロール紙カバーを開いた状態の側断面図である。
【図５】排紙部付近の断面図である。
【図６】用紙案内部材の斜視図である。
【図７】段差部のない用紙案内部を備えたインクジェットプリンターにおけるロール紙の排出状態を示す排紙部付近の断面図である。
【図８】本実施形態のインクジェットプリンターにおけるロール紙の排出状態を示す排紙部付近の断面図である。
【発明を実施するための形態】
【００１４】
以下、本発明に係る印刷装置の実施形態の例を、図面を参照しつつ説明する。
【００１５】
図１に示すように、インクジェットプリンター１は、複数種のカラーインクを使用してロール紙の繰り出された一部にカラー印刷するものであり、プリンター本体を覆うプリンターケース２の前面中央には、ロール紙カバー（開閉カバー）３が開閉自在に設けられている。ロール紙カバー３の横にはインクカートリッジ挿入口８が設けられ、その内側にインクカートリッジ４が挿入されて収容されている。更に、プリンターケース２の前面には、電源スイッチ５と共にフィードスイッチ６やインジケーター７等も配置されている。
【００１６】
図２に示すように、印刷される媒体であるロール紙１１は、ロール紙収容部１２に収容されており、ロール紙カバー３を開くと、ロール紙１１を収容したロール紙収容部１２が開放され、ロール紙１１の交換が可能になる。
【００１７】
ロール紙カバー３はその下端を中心に手前側に回動可能である。ロール紙カバー３の上部には手前側に印刷後のロール紙１１が排出される排紙部９が設けられ、排紙部９の手前側先端には手前側に摺動可能な開閉スライダー１０が設けられる。
【００１８】
図３及び図４に示すように、開閉スライダー１０に指をかけて前方に引くと、開閉スライダー１０が前方に移動してロックが解除される。この状態で、さらに開閉スライダー１０を手前に引くと、ロール紙カバー３が下端を中心に回動して開き、ロール紙カバー３の奥に設けられたロール紙収容部１２が露出され、ロール紙収容部１２にロール紙を投入できるように構成されている。
【００１９】
図２に示すように、ロール紙収容部１２の後方上部には、ロール紙収容部１２に収容されたロール紙１１をシート状に繰り出す繰り出しローラー３４が設けられている。
この繰り出しローラー３４の下流側には、ロール紙１１を挟持して搬送するメイン送りローラー３６が設けられている。また、繰り出しローラー３４からメイン送りローラー３６までの搬送路には、メイン送りローラー３６に対するロール紙１１の張力を一定に保つように、付勢部材（図示省略）によって装置後方へ付勢されたテンションローラー３５が設けられている。
【００２０】
さらに、メイン送りローラー３６の下流側には、ロール紙１１を挟持して搬送するフロント送りローラー３７が設けられ、メイン送りローラー３６とフロント送りローラー３７との間には、プラテン２６が設けられている。
【００２１】
ロール紙１１は、ロール紙収容部１２から引き出され、繰り出しローラー３４、テンションローラー３５、メイン送りローラー３６、プラテン２６、フロント送りローラー３７を経て、排紙部９から排出される。これらの搬送ローラーは、歯車またはベルトプーリー機構といった伝達機構を介して繰り出しモーターまたは紙送りモーター３１により駆動される。
【００２２】
プリンターケース２内のロール紙収容部１２の上方には、インクジェットヘッド２１を搭載したキャリッジ２２が設けられている。キャリッジ２２は、ロール紙１１の幅方向に沿って延在するガイド部材２３によって用紙幅方向に移動自在に支持されると共に、ロール紙１１の幅方向に延在する無端ベルト（図示省略）と無端ベルトを駆動するキャリッジモーター２５とによって、プラテン２６の上方をロール紙１１の幅方向に往復移動可能になっている。キャリッジ２２には、インクカートリッジ４につながる可撓性を有するインクチューブ２７が接続されており、このインクチューブ２７を介してインクカートリッジ４からキャリッジ２２のインクジェットヘッド２１へインクが供給される。
【００２３】
インクジェットプリンター１の幅方向の一方側は、往復移動するキャリッジ２２の待機位置（ホームポジション）となっている。この待機位置の下方には、キャリッジ２２の下面に露出するインクジェットヘッド２１の各インクノズル内のインクを吸引するインク吸引機構（図示省略）が設けられている。
【００２４】
そして、上記のインクジェットプリンター１では、往復移動するキャリッジ２２のインクジェットヘッド２１からロール紙１１の繰り出された一部に対してインクを吐出して印刷処理を行う。
【００２５】
図５に示すように、インクジェットヘッド２１による印刷位置の下流側には、印刷されたロール紙１１を切断するカッター機構（カッター）３８が設けられている。このカッター機構３８は、上方側に設けられた固定刃３８ａと、下方側に設けられた可動刃３８ｂとを有している。このカッター機構３８では、駆動モーター３９によって可動刃３８ｂが上下動されることにより、固定刃３８ａと可動刃３８ｂによってロール紙１１が切断される。
【００２６】
また、排紙部９は、フロント送りローラー３７の下流側に排出されるロール紙１１を案内する用紙案内部材（媒体案内部材）４１を備えている。
図６に示すように、用紙案内部材４１は、硬質樹脂などから形成されたものであり、フロント送りローラー３７の下流側にて、ロール紙１１の搬送方向に沿って一定の長さを有する水平案内部４２と、この水平案内部４２から下がった段差形状を有する段差部４３とを有している。カッター機構３８は、フロント送りローラー３７と用紙案内部材４１の水平案内部４２との間に配置され、フロント送りローラー３７と用紙案内部材４１との間で、ロール紙１１を切断する。
【００２７】
用紙案内部材４１は、その段差部４３が、プリンター本体（装置本体）を構成するプリンターケース２の外部に突出している。また、段差部４３の上面は、水平案内部４２から離れるにつれて下がるように傾斜する傾斜面とされている。
また、用紙案内部４１の下方側には、ロール紙カバー３を開閉する際にユーザーが指を引っかける把持部４７が設けられており、用紙案内部４１は、把持部４７とともに、ロール紙カバー３を開閉動作させる開閉スライダー１０の摘みの一部とされている。つまり、ロール紙カバー３を開閉する際に、ユーザーは、把持部４７へ指を引っかけつつ用紙案内部４１を把持することとなる。特に、ロール紙カバー３を閉じる際に、ユーザーは用紙案内部４１の下方で把持部４７へ指を引っかけつつ、段差部４３の上からシート状に繰り出されているロール紙１１とともに用紙案内部４１を把持する。
【００２８】
上記のような用紙案内部材４１を備えたインクジェットプリンター１では、排出されるロール紙１１を案内する用紙案内部材４１がプリンターケース２の外部に突出しているが、その突出した部分は水平案内部４２から下がった段差部４３であるので、排紙部９へ排出されるロール紙１１が、段差部４３上またはその下流側にてユーザーの指などに当たったり、段差部４３上でユーザーの指などにより押えられたりして負荷が加わっても、水平案内部４２から段差部４３が下がった分だけ段差部４３上でロール紙１１が曲がって逃げやすくなっている。
そのため、水平案内部４２より上流側でロール紙１１が浮き上がることがなく、インクジェットプリンター１内でのロール紙１１の詰まりを防止することができる。
【００２９】
また、段差部４３の上面は、水平案内部４２から離れるにつれて下がるように傾斜する傾斜面であるので、段差部４３上でロール紙１１が押えられても段差部４３の上方にロール紙１１が曲がりやすく、より効果的に負荷を逃がすことができる。
なお、段差部４３を上面を傾斜させず、水平面とした場合でも、段差を設けたことによるロール紙１１を逃がす効果を得ることができる。
【００３０】
また、用紙案内部材４１の段差部４３は、プリンターケース２の外部に突出して段差部４３の上方が開放されているので、ロール紙１１を曲げて逃がす空間が大きく確保され、段差部４３上でロール紙１１が詰まることがない。なお、段差部４３の上方が開放されていない場合でも、段差を設けたことによるロール紙１１を逃がす効果を得ることができる。
【００３１】
また、上記実施形態のインクジェットプリンター１は、ロール紙１１を収容するロール紙収容部１２を備え、このロール紙収容部１２からロール紙１１がシート状に繰り出されるので、シート状に繰り出されるロール紙１１は、用紙案内部材４１に対して上側に凸の向きで若干湾曲することとなる。したがって、排紙部９から排紙されるロール紙１１を、用紙案内部材４１の段差部４３の上方に曲げて逃がしやすい。
なお、ロール紙１１は長尺であるため排出側での負荷が搬送経路上流側の詰まりを誘発しやすいが、本実施形態のインクジェットプリンター１では、前述のように、排紙部９にてロール紙１１を逃がすことができるので、そのような詰まりを効果的に防止することができる。
【００３２】
また、用紙案内部材４１が、ロール紙カバー３を動作させる摘みの一部であるため、ロール紙カバー３を動作させてロール紙収容部１２を開閉する際に、ユーザーの指が用紙案内部材４１に触れ、段差部４３上でロール紙１１が指により押さえられやすい。
しかし、ロール紙１１の排出動作中にロール紙カバー３を動作させようとしてロール紙１１に指が接触した場合でも、段差部４３上でロール紙１１を曲げて逃がすことができるので、ロール紙１１の詰まりを防止することができる。
【００３３】
なお、図７に示すように、排紙部９に単なる傾斜した平板を設けた構成のインクジェットプリンターでは、排出中のロール紙１１を取ろうとしてユーザーが排出中のロール紙１１に上から図７中矢印Ａ方向に指で触れると、排出中のロール紙１１に負荷が加わって弛みが生じ、排紙部９につながる搬送経路内にて紙ジャムが生じたり、カッター機構３８におけるロール紙１１の切断不良が生じたりしてしまう。
【００３４】
これに対して、本実施形態のインクジェットプリンター１では、図８に示すように、用紙案内部材４１の段差部４３上でユーザーの指などにより図８中矢印Ａ方向から押えられたりして負荷が加わっても、水平案内部４２から段差部４３が下がった分だけ段差部４３上でロール紙１１が弛むことなく上方へ曲がって逃げることとなる。これにより、排紙部９につながる搬送経路内にて紙ジャムが生じるような不具合を防止することができる。そして、用紙案内部材４１の水平案内部４２より上流側ではロール紙１１が浮いたり曲がったりしにくいので、フロント送りローラー３７と水平案内部４２との間に設けられたカッター機構３８によって、切断不良などの不具合なくロール紙１１を安定して切断することができる。
【００３５】
被印刷体である媒体としては、フィルム、布、金属薄板等を用いてもよい。
【００３６】
本実施形態に係るインクジェットプリンターに、コンピューター本体、ＣＲＴ等の表示装置、入力装置、フレキシブルディスクドライブ装置、及びＣＤ−ＲＯＭドライブ装置がそれぞれ有する機能又は機構の一部を持たせてもよい。例えば、プリンターが、画像処理を行う画像処理部、各種の表示を行う表示部、及び、デジタルカメラ等により撮影された画像データーを記録した記録メディアを着脱するための記録メディア着脱部を有する構成としてもよい。
【００３７】
本実施形態に係るプリンター、コンピューター本体、ＣＲＴ等の表示装置、マウスやキーボード等の入力装置、フレキシブルドライブ装置、及びＣＤ−ＲＯＭドライブ装置を備えたコンピューターシステムとすれば、システム全体として従来システムよりも優れたシステムとなる。
【００３８】
上記各実施の形態では、印刷装置としてカラーインクジェットプリンターを用いたが、印刷媒体に対して印刷処理できる印刷装置であれば、これに限られることなく、例えば、モノクロインクジェットプリンター、レーザプリンター、サーマルプリンター、ファクシミリ等に適用しても良い。
【符号の説明】
【００３９】
１…インクジェットプリンター（印刷装置）、２…プリンターケース（装置本体）、３…ロール紙カバー（開閉カバー）、１１…ロール紙（印刷媒体）、１２…ロール紙収容部、３７…フロント送りローラー（搬送ローラー）、３８…カッター機構（カッター）、４１…用紙案内部材（媒体案内部材）、４２…水平案内部、４３…段差部
【図１】
2011156677.tif 000003
【図２】
2011156677.tif 000004
【図３】
2011156677.tif 000005
【図４】
2011156677.tif 000006
【図５】
2011156677.tif 000007
【図６】
2011156677.tif 000008
【図７】
2011156677.tif 000009
【図８】
2011156677.tif 000010